(57)【要約】      （修正有）【課題】簡単な構成にするとともに、一つの器具を複数の被介護者に使用しても、セットが簡単な体位変換補助器具を提供する。【解決手段】フック２１と第一ベルト２２１と接続部材２５と２本の第二ベルト２２２とクリップ１３と長さ調節具１４で構成される。側縁部に手摺が設けられたベッド上に尿漏れ用のシーツを敷き、その上に被介護者を仰向けに寝かせ、被介護者の腰あたりと肩甲骨の下あたりの左側のシーツを、２つのクリップ１３でそれぞれ上から摘むように挟持する。フック２１を持ち、シーツで被介護者を巻くように手摺方向に引き上げ、フックの係止部２１２を手摺に引っ掛けることで、被介護者の体位を横向きに変換保持することができる。【選択図】図６
0003186082.tif 000002
【実用新案登録請求の範囲】
【請求項１】
側縁部に手摺又は柵が設けられたベッド上の被介護者を、被介護者の下に敷かれたシーツを利用して体位変換する際の補助器具であって、
前記手摺又は柵に係止可能なフックと、
前記フックに第一の端部が接続されたベルトと、
前記ベルトの第二の端部に接続されて前記シーツを挟持可能なクリップと、
前記ベルトの中間に設けられ、該ベルトの有効長さを調節可能な長さ調節具と、
を備えた体位変換補助器具。
【請求項２】
側縁部に手摺又は柵が設けられたベッド上の被介護者を、被介護者の下に敷かれたシーツを利用して体位変換する際の補助器具であって、
前記手摺又は柵に係止可能なフックと、
前記フックに第一の端部が接続された第一ベルトと、
前記第一ベルトの第二の端部に接続された接続部材と、
前記接続部材にそれぞれの第一の端部が接続された２本の第二ベルトと、
前記２本の第二ベルトのそれぞれの第二の端部に接続されて前記シーツを挟持可能な２つのクリップと、
前記２本の第二ベルトの中間にそれぞれ設けられ、該第二ベルトの有効長さを調節可能な２つの長さ調節具と、
を備えた体位変換補助器具。
【考案の詳細な説明】
【技術分野】
【０００１】
本考案は、側縁部に手摺又は柵が設けられたベッド上の被介護者を、被介護者の下に敷かれたシーツを利用して体位変換する際の補助器具に関するものである。
【背景技術】
【０００２】
身体が不自由な被介護者の清拭やおむつ交換は、介護者にとって重労働であるため、介護者の負担を軽減するための技術が提案されてきた（特許文献１及び２）。
【０００３】
特許文献１に記載の装置は、一端が固定されたシート状の支持部材と、支持部材の固定されていない側の端部を、固定された端部の方向の斜め上方に引き上げる手段とを備えたものである。この装置によれば、支持部材の上に仰向けに寝かせた被介護者を容易に横向きにすることができる。しかし、当該装置では、構成が複雑でコストが高くなるという問題があった。
【０００４】
特許文献２に記載の装置は、連結体により連結された３つのシート状の補助具主体と、それぞれの補助具主体の両端に接続された保持ベルトと、それぞれの保持ベルトに接続位置を変更可能に接続された係止部材とを備えたものである。この装置によれば、補助具主体同端側の係止部材３つをベッドの枠体に係止して、補助具の上に仰向けに被介護者を寝かせ、補助具主体で被介護者を巻くようにして、他端側の係止部材をベッドの側縁部に設けられた手摺に係止することで、被介護者を横向きに保持することができる。また、その状態で臀部を覆っている真ん中の補助具主体の上側の係止部材を外せば、臀部を露出させることができ、おむつ交換が容易となる。しかし、当該装置を介護施設で使用する場合等、一つの装置を何人かに兼用しようとすると、既にベッドに寝ている被介護者の下に補助具主体を敷かねばならず、セットをするのが大変であるという問題があった。装置を使用しないときも常時セットしておけば上記問題点は解決されるが、その場合は、介護者の人数分装置を用意しなければならず、コストが高くなるという問題があった。
【先行技術文献】
【特許文献】
【０００５】
【特許文献１】特開平１１―１５１２７４号公報
【特許文献２】実登第３１３６５３４号公報
【考案の概要】
【考案が解決しようとする課題】
【０００６】
本考案は、このような事情に鑑みてなされたものであり、簡単な構成にするとともに、一つの器具を複数の被介護者に使用しても、セットが簡単な体位変換補助器具を提供することを目的としている。
【課題を解決するための手段】
【０００７】
上記課題を解決するために、請求項１に係る考案では、側縁部に手摺又は柵が設けられたベッド上の被介護者を、被介護者の下に敷かれたシーツを利用して体位変換する際に補助すべく、手摺又は柵に係止可能なフックと、フックに第一の端部が接続されたベルトと、ベルトの第二の端部に接続されてシーツを挟持可能なクリップと、ベルトの中間に設けられベルトの有効長さを調節可能な長さ調節具とを備えている。なお、ここでいうシーツとは、ベッドに敷かれたシート状のものを指し、ベッド全体を覆うものだけでなく、尿漏れ用のシートや体位変換用に敷かれたバスタオル等も含むものである。
【０００８】
また、請求項２に係る考案では、手摺又は柵に係止可能なフックと、フックに第一の端部が接続された第一ベルトと、第一ベルトの第二の端部に接続された接続部材と、接続部材にそれぞれの第一の端部が接続された２本の第二ベルトと、２本の第二ベルトのそれぞれの第二の端部に接続されてシーツを挟持可能な２つのクリップと、２本の第二ベルトの中間にそれぞれ設けられ、第二ベルトの有効長さを調節可能な２つの長さ調節具とを備えている。
【考案の効果】
【０００９】
請求項１の考案によれば、常時敷かれているシーツに、必要なときに取付けて使用するものであるため、一つの器具を複数の被介護者に使用するときにセットが簡単である。また、極めて簡単でコンパクトな構成であるため、コストを安くすることができる。また、請求項２の考案によれば、クリップが２つであるため、シーツをより確実に挟持することができる。
【図面の簡単な説明】
【００１０】
【図１】体位変換補助器具１の概略を示す説明図である。
【図２】フック１１の概略を示す分解斜視図である。
【図３】長さ調節具１４の概略を示す説明図である。
【図４】クリップ１３の概略を示す分解斜視図である。
【図５】クリップ１３の概略を示す断面図である。
【図６】体位変換補助器具２の概略を示す説明図である。
【図７】フック２１の概略を示す説明図である。
【図８】接続部材２５の概略を示す説明図である。
【図９】体位変換補助器具２の使用状態を示す説明図（その１）である。
【図１０】体位変換補助器具２の使用状態を示す説明図（その２）である。
【考案を実施するための形態】
【００１１】
以下、本考案を具現化した第１の実施形態である体位変換補助器具１について、図面を参照しつつ説明する。なお、実施形態の構成のうち、周知な技術に関しては、詳細な説明を省略する。
【００１２】
まず、体位変換補助器具１の構成について、図１〜５を参照して説明する。体位変換補助器具１は、フック１１、ベルト１２、クリップ１３、長さ調節具１４、１４で構成される。
【００１３】
フック１１は、図２に示すように、フック部材１１１とフック部材１１１に接続された把持部材１１２とからなる。フック部材１１１は把持部材１１２に対し、軸方向に回転自在となっている。
【００１４】
フック部材１１１は、プラスチック製であり、略疑問符（？）形状のフック辺１１１ａと、フック辺１１１ａの付け根に形成された球状部１１１ｂと、フック辺１１１ａと球状部１１１ｂとを連結する軸部１１１ｃと、フック辺１１１ａと軸部１１１ｃとの間に形成された鍔部１１１ｄとからなる。
【００１５】
軸部１１１ｃの軸方向と垂直の断面形状は、円形である。また、軸部１１１ｃの長さは、後述の把持部材１１２の側板１１２ｃの厚みよりも僅かに長くなっている。そして、これらは、すべてが一体的に成形されたものである。
【００１６】
把持部材１１２は、プラスチック製であり、矩形の一辺が半円の直径となるように矩形と半円とを組み合わせた、輪郭が略Ｕ字形状の表板１１２ａと、表板１１２ａに対向して設けられた表板１１２ａと同形状の裏板１１２ｂと、表板１１２ａの周縁部と裏板１１２ｂの周縁部とを連結する略Ｕ字形状の側板１１２ｃとからなる。表板１１２ａと裏板１１２ｂの半円側とは反対側の端部には、側板１１２ｃは設けられていない。側板１１２ｃの短手方向断面は、円弧形状である。すなわち、把持部材１１２は、釣鐘を横方向から押しつぶしたような形状をしている。
【００１７】
表板１１２ａには、略中央にフック部材１１１の球状部１１１ｂとほぼ同径の円形の穴１１２ｄが開いており、穴１１２ｄに連接してフック部材１１１の軸部１１１ｃの直径よりも僅かに小さい幅のスリット１１２ｅが半円方向に延び、側板１１２ｃの中央に開けられた穴１１２ｆに連接している。
【００１８】
穴１１２ｆの直径は、フック部材１１１の軸部１１１ｃの直径よりも僅かに大きくなっている。また、表板１１２ａと裏板１１２ｂの、半円とは反対側の端部近くには、スリット状のベルト通し１１２ｇ、１１２ｇが設けられている。そして、これらは、すべてが一体的に成形されたものである。
【００１９】
フック１１は、フック部材１１１の球状部１１１ｂを把持部材１１２の穴１１２ｄに挿入し、軸部１１１ｃをスリット１１２ｅに当接させながら穴１１２ｆまで移動させて組みつけられる。その際、スリット１１２ｅの幅は、軸部１１１ｃの直径よりも狭いが、プラスチックの可撓性を利用して押し込まれる。
【００２０】
これにより、フック部材１１１は、把持部材１１２から抜けることはなく、フック部材１１１は把持部材１１２に対し、軸方向に回転自在となる。
【００２１】
ベルト１２は、布製で平帯状に形成されている。ベルト１２の第一の端部１２ａは、フック１１のベルト通し１１２ｇ、１１２ｇに挿通され、折り返されて、長さ調整具１４によって固定されている。これにより、フック１１と第一の端部１２ａとは、着脱可能になっている。なお、本実施形態では、ベルト１２の材質を布製としたが、伸縮性のある材料とすることもできる。
【００２２】
長さ調節具１４は、プラスチック製であり、図３に示すように、略長方形状の板１４１の長手方向にスリット１４２、１４２が２つ設けられ、各スリット１４２に２回ベルトを通すことで環状部分を有する対象をベルトに固定する周知のものである。
【００２３】
クリップ１３は、図４及び図５に示すように、下部挟持部材１３１と、上部挟持部材１３２と、操作部材１３３とからなり、下部挟持部材１３１と上部挟持部材１３２の先端が操作部材１３３の回動操作により開閉するプラスチック製のクリップである。
【００２４】
下部挟持部材１３１は、略長方形状の基板１３１ａと、基板１３１ａの後端部の両側縁部に立設し、そのまま後方に延びる側板１３１ｂ、１３１ｂと、両側板１３１ｂ、１３１ｂの上面を架渡すように連結する連結板１３１ｃとからなる。
【００２５】
連結板１３１ｃは、側板１３１ｂ、１３１ｂの後端部を少し残して側板１３１ｂ、１３１ｂの上端を連結している。連結板１３１ｃの後端中央には、押圧突起１３１ｄが形成されている。
【００２６】
両側板１３１ｂ、１３１ｂの後部内側には、支持突起１３１ｅ、１３１ｅが形成されている。支持突起１３１ｅ、１３１ｅの上面は、僅かに前下がりに形成されている。また、支持突起１３１ｅ、１３１ｅの前端に連接して上方に延びる前係止突起１３１ｆ、１３１ｆが形成されている。
【００２７】
また、両側板１３１ｂ、１３１ｂの内面には、下方に開口をもつ方形状のヌスミ１３１ｇ、１３１ｇと、下方と後方下半部に開口をもつ方形状のヌスミ１３１ｈ、１３１ｈとが連接して形成されている。
【００２８】
また、基板１３１ａの前部上面には、挟持歯１３１ｉが形成されている。そして、これらは、すべてが一体的に成形されたものである。
【００２９】
上部挟持部材１３２は、下部挟持部材１３１と略対称形の基板１３２ａと、基板１３２ａの後端に連接して下方に延び、その後後方に折れ曲がり、その後上方に折れ曲がる側面視略凹字形状の支持板１３２ｂとからなる。支持板１３２ｂの幅は、下部挟持部材１３１の両側壁１３１ｂ、１３１ｂの内面間の距離より僅かに狭く形成されている。
【００３０】
支持板１３２ｂの後部両側面の下部には、下方と後方下半部に開口をもつ略方形状のヌスミ１３２ｃ、１３２ｃが形成されている。そして、支持板１３２ｂの後部両側面の上部に残った部分が、上係止突起１３２ｄ、１３２ｄを形成している。上係止突起１３２ｄ、１３２ｄの下面は、前下がりに形成されている。
【００３１】
支持板１３２ｂの後上端部中央には、下部挟持部材１３１の押圧突起１３１ｄが嵌合する切込み１３２ｅが形成されている。切込み１３２ｅの上面は後部が高い山状に形成されており、この山状の頂面と上係止突起１３２ｄ、１３２ｄの最下端との垂直寸法は、下部挟持部材１３１の押圧突起１３１ｄの下面と支持突起１３１ｅ、１３１ｅの上面の最下部との垂直寸法より少し大きく形成されている。
【００３２】
また、基板１３２ａ前部下面には、挟持歯１３２ｉが形成されている。そして、これらは、すべてが一体的に成形されたものである。
【００３３】
操作部材１３３は、略長方形状の基板１３３ａと、基板１３３ａの上端に基板１３３ａと直行する向きに立設された二つの側板１３３ｂ、１３３ｂと、両側板１３３ｂ、１３３ｂの上面を架渡すように連結する連結板１３３ｃとからなる。
【００３４】
両側板１３３ｂ、１３３ｂは、基板１３３ａの中央から等間隔の距離に配設され、側板１３３ｂ、１３３ｂの間隔は、外面間の距離が下部挟持部材１３１のヌスミ１３１ｇ、１３１ｇの内面間の距離よりも僅かに短く、内面間の距離が上部挟持部材１３２の支持板１３２ｂの幅よりも僅かに長くなっている。
【００３５】
両側板１３３ｂ、１３３ｂは、上端が下端よりも幅広であり、前面が略垂直で、後面は、上端から略Ｊ字状に下方に延び、途中から垂直下方に延びている。両側板１３３ｂ、１３３ｂの内側下部には突起１３３ｄ、１３３ｄが形成されている。突起１３３ｄ、１３３ｄ間の距離は、上部挟持部材１３２のヌスミ１３２ｃ、１３２ｃ間の距離よりも僅かに長くなっている。
【００３６】
連結板１３３ｃは、両側板１３３ｂ、１３３ｂの上端後部を連結しており、連結板１３３ｃの幅は、側板１３３ｂの上端の幅の半分程度である。
【００３７】
また、基板１３３ａの略中央には、スリット状のベルト通し１３３ｅが形成されている。そして、これらは、すべてが一体的に成形されたものである。
【００３８】
クリップ１３は、下挟持部材１３１のヌスミ１３１ｇ、１３１ｇに操作部材１３３の側板１３３ｂ、１３３ｂを嵌合させた状態で、下挟持部材１３１の連結板１３１ｃの下方の窓に上挟持部材１３２の支持板１３２ｂを後方から挿入し、下挟持部材１３１の先端と、上挟持部材１３２の先端を閉じながら、支持突起１３１ｅ、１３１ｅの上に上係止突起１３２ｄ、１３２ｄを載せるようにして組みつける。
【００３９】
これにより、操作部材１３３が垂直状態にあるときには、下部挟持部材１３１の押圧突起１３１ｄが、上部挟持部材１３２の切込み１３２ｃの上面を押圧するため、下部挟持部材１３１と上部挟持部材１３２の先端が開口する。
【００４０】
そして、操作部材１３３が連結板１３３ｃを略中心として後方に回動されると、側板１３３ｂ、１３３ｂ、連結板１３３ｃも併せて回動し、これにより、連結板１３３ｃが上部挟持部材１３２の支持板１３２ｂを押し下げ、下部挟持部材１３１と上部挟持部材１３２の先端部が閉口する。
【００４１】
操作部材１３３のベルト通し１３３ｅには、ベルト１２の第二の端部１２ｂが挿通され、第二の端部１２ｂは、折り返されて、長さ調節具１４によって固定されている。これにより、クリップ１３と第二の端部１２ｂとは、着脱可能に接続されている。
【００４２】
体位変換補助器具１によれば、フック１１と、ベルト１２と、クリップ１３とを取り外すことができるため、ベルト３の洗濯が容易である。フック２とクリップ４とを薬液消毒することもでき、衛生的に優れている。また、ベルト３が汚れたり痛んだりしたときは、ベルト３だけを交換することもでき、極めて経済的である。
【００４３】
次に、第２の実施形態である体位変換補助器具２について、図６〜８を参照して説明する。体位変換補助器具２は、フック２１と、第一ベルト２２１と、接続部材２５と、２本の第二ベルト２２２、２２２と、２つのクリップ１３、１３と、２つの長さ調節具１４、１４で構成される。
【００４４】
フック２１は、図７に示すように、１本の金属線材が屈曲されて環状に形成されている。図７（ａ）は、フック２１の正面図、図７（ｂ）は、フック２１の右側面図である。フック２１は、１本の金属線材が中央でＵ字状に曲げられ、これによって平行して延びることとなった左右の線材が途中で外側に広がる方向に曲げられ、その後、左右の線材が再び平行になるように曲げられ、その後、左右の線材が内側に直角に曲げられ、最終的に両端部が中央で溶接されている。この左右の線材が内側に直角に曲げられてから、両端部が溶接されるまでの間がベルト接続部２１１となっている。また、線材がＵ字状に曲げられてから外側に広がる方向に曲げられるまでの部分は、円弧状に曲げられ、係止部２１２が形成されている。
【００４５】
接続部材２５は、図８に示すように、１本の金属線材が屈曲されて略半円周形状に形成されている。直線部分が第一ベルト接続部２５１、円弧状部分が第二ベルト接続部２５２となっている。
【００４６】
第一ベルト２２１は、布製で平帯状に形成されている。また、第二ベルト２２２、２２２も、同じく布製で平帯状に形成されている。
【００４７】
第一ベルト２２１の第一の端部２２１ａは、フック２１のベルト接続部２１１に巻き回されて縫着されている。第一ベルト２２１の第二の端部２２１ｂは、接続部材２５の第一ベルト接続部２５１に巻き回されて縫着されている。
【００４８】
第二ベルト２２２、２２２の第一の端部２２２ａ、２２２ａは、接続部材２５の第二ベルト接続部２５２にそれぞれ巻き回されて縫着されている。第二ベルト２２２、２２２の第一の端部２２２ｂ、２２２ｂは、それぞれクリップ１３、１３のベルト通し１３３ｅ、１３３ｅに挿通され、折り返されて長さ調節具１４、１４によって固定されている。クリップ１３と長さ調節具１４は、体位変換補助器具１と同様の構成である。
【００４９】
次に、介護者が体位変換補助器具２を使用し、被介護者を仰向け状態から右横向き状態に変換する方法の一例について、図９を参照して説明する。
【００５０】
まず、図９に示すように、右側縁部に手摺６１が設けられたベッド６上にバスタオル（シーツに相当）６２を敷き、その上に被介護者７を仰向けに寝かせる。次に、被介護者７の腰あたりと肩甲骨の下あたりの左側のバスタオル６２を、体位変換補助器具２のクリップ１３、１３で上から摘むように挟持する。そして、フック２１を持ち、バスタオル６２で被介護者７を巻くように手摺６１方向に引き上げ、フック２１の係止部２１１を手摺６１に引っ掛ける。これにより、被介護者７を横向きに保持することができる。
【００５１】
次に、介護者が体位変換補助器具２を使用し、被介護者を仰向け状態から右横向き状態に変換する方法のもう一つの例について、図１０を参照して説明する。
【００５２】
まず、図１０（ａ）に示すように、右側縁部に手摺６１が設けられたベッド６上に尿漏れ用のシーツ６３を敷き、その上に被介護者７を仰向けに寝かせる。次に、被介護者７の腰あたりと肩甲骨の下あたりの左側のシーツ６３を、体位変換補助器具２のクリップ１３、１３で上から摘むように挟持する。そして、フック２１を持ち、シーツ６２で被介護者７を巻くように手摺６１方向に引き上げ、フック２１の係止部２１１を手摺６１に引っ掛ける。これにより、被介護者７を横向きに保持することができる。
【００５３】
そして、この状態で、図１０（ｂ）に示すように、被介護者７の臀部から脚にかかっているシーツ６３を上方向に折り返せば、臀部を露出させることができ、おむつ替えが容易になる。被介護者７の体重は、主に臀部付近にかかっているため、足の下のシーツ６３を上方にずらすのには、さほど力は必要ない。この際、シーツ６３にしわが寄るが、被介護者を仰向けに戻すときに直せば支障ない。なお、体位変換補助器具２の使用方法は、これに限るものでなく、介護者の使い勝手がいいように変更することができる。
【００５４】
以上、これまで、本発明の実施形態の構成を例示したが、それぞれの構成は周知技術が多く、同様の効果を奏するものであれば適宜変更して使用することができる。また、材料や形状等、本実施形態に限定されないのはもちろんである。
【符号の説明】
【００５５】
１：体位変換補助器具    
１１：フック
１１１：フック部材
１１１ａ：フック辺    １１２ｂ：球状部    １１３ｃ：軸部    １１３ｄ：鍔部
１１２：把持部材
１１２ａ：表板    １１２ｂ：裏板    １１２ｃ：側板
１１２ｄ：穴    １１２ｅ：スリット    １１２ｆ：穴    １１２ｇ：ベルト通し
１２：ベルト    １２ａ：第一の端部    １２ｂ：第二の端部
１３：クリップ  
１３１：下部挟持部材  
１３１ａ：基板    １３１ｂ：側板    １３１ｃ：連結板
１３１ｄ：押圧突起    １３１ｅ：支持突起    １３１ｆ：前係止突起
１３１ｇ：ヌスミ    １３１ｈ：ヌスミ    １３１ｉ：挟持歯
１３２：上部挟持部材
１３２ａ：基板    １３２ｂ：支持板    １３２ｃ：ヌスミ
１３２ｄ：上係止突起    １３２ｅ：切込み    １３２ｉ：挟持歯
１３３：操作部材
１３３ａ：基板    １３３ｂ：側板    １３３ｃ：連結板
１３３ｄ：突起    １３３ｅ：ベルト通し
１４：長さ調節具
２：体位変換補助器具
２１：フック
２１１：ベルト接続部    ２１２：係止部
２２１：第一ベルト    ２２１ａ：第一の端部    ２２１ｂ：第二の端部
２２２：第二ベルト    ２２２ａ：第一の端部    ２２２ｂ：第二の端部
２５：接続部材    ２５１：第一ベルト接続部    ２５２：第二ベルト接続部
６：ベッド    ６１：手摺    ６２：バスタオル（シーツに相当）    ６３：シーツ
７：被介護者
【図１】
0003186082.tif 000003
【図２】
0003186082.tif 000004
【図３】
0003186082.tif 000005
【図４】
0003186082.tif 000006
【図５】
0003186082.tif 000007
【図６】
0003186082.tif 000008
【図７】
0003186082.tif 000009
【図８】
0003186082.tif 000010
【図９】
0003186082.tif 000011
【図１０】
0003186082.tif 000012